(57)【特許請求の範囲】
【請求項１】
音響信号に基づいてタッチ位置を決定するためのタッチ位置システムを有する相互作用面（３）、とりわけタッチパネルを有しており、
前記相互作用面の一方の表面に備えられ、弾性的に圧縮可能であり、かつ誘電性がある音響絶縁手段（１１）と、
前記相互作用面（３）と前記絶縁手段（１１）との間に配置された第１導電性電極（１３）と、
第２導電性電極（１５）であって、前記第１導電性電極（１３）と該第２導電性電極（５）とが前記絶縁手段（１１）を挟持している、第２導電性電極（１５）と、
前記第１導電性電極（１３）と前記第２導電性電極（１５）との間の静電容量を決定する手段と、
静電容量の変化に基づいてタッチホールドおよび/またはタッチリリースを決定するように構成されている静電容量処理手段（１９）と、
を更に含むことを特徴とするタッチホールド機能を有するタッチセンシング装置。
【請求項２】
静電容量処理手段（１９）が、予定のしきい値よりも大きい静電容量の変化に基づいてタッチホールドおよび/またはタッチリリースを決定するように構成されていることを特徴とする請求項１に記載のタッチセンシング装置。
【請求項３】
前記処理手段（１９）が、前記タッチ位置システムによるタッチの検知に基づいてホールド動作を決定するように構成されていることを特徴とする請求項２に記載のタッチセンシング装置。
【請求項４】
前記絶縁手段（１１）が、
複数の絶縁手段、とりわけタッチパネル（１３）の１つより多い縁に沿って設置される複数の絶縁手段であって、それぞれが第１導電性電極と第２導電性電極との間に挟持されている複数の絶縁手段と、
第１導電性電極と第２導電性電極のそれぞれの対の静電容量を測定するための手段と、
を含むことを特徴とする請求項１から３のいずれか１項に記載のタッチセンシング装置。
【請求項５】
前記処理手段が、複数の測定した静電容量に基づいて、ホールド位置に関する情報を提供するように更に構成されていることを特徴とする請求項４に記載のタッチセンシング装置。
【請求項６】
前記処理手段が、前記タッチ位置システムによって決定されるタッチ位置と前記静電容量処理手段（１９）によって決定されるホールド位置との比較を実施するように構成されていることを特徴とする請求項５に記載のタッチセンシング装置。
【請求項７】
タッチ位置を決定するための前記タッチ位置システムが、音響波のための少なくとも２つのトランスデューサー（５）を含むことを特徴とする請求項１から６のいずれか１項に記載のタッチセンシング装置。
【請求項８】
前記第１導電性電極が、ワイヤー、とりわけ鋼線（１３”）、またはテープ、とりわけ銅板であることを特徴とする請求項１から７のいずれか１項に記載のタッチセンシング装置。
【請求項９】
前記第２導電性電極が、金属板（１５’）、とりわけ銅テープであることを特徴とする請求項１から８のいずれか１項に記載のタッチセンシング装置。
【請求項１０】
前記静電容量処理手段（１９）が、測定した静電容量のベースラインの変化に基づいて自動適応を実施するように、更に構成されていることを特徴とする請求項１から９のいずれか１項に記載のタッチセンシング装置。
【請求項１１】
請求項１から１０のいずれか１項に記載のタッチセンシング装置と、金属フレームが第２電極に対応する、金属フレーム（１５”）を有するスクリーンと、を含むことを特徴とするホールド機能および/またはリリース機能を有するタッチスクリーンシステム。
【請求項１２】
相互作用面への衝撃によって提供される音響信号に基づいて、タッチ、とりわけタッチの位置を決定することを含んでおり、
第１導電性電極と第２導電性電極との間の静電容量を監視する、とりわけタッチを検知した後に監視することと、
監視した静電容量に基づいてタッチホールド動作またはタッチリリース動作のどちらが検知されたのかを決定することと、
静電容量の変化が予定のしきい値よりも大きい場合に、タッチリリース動作を確定すること、
によって特徴付けられる、請求項１から１１のいずれか１項に記載のタッチセンシング装置におけるタッチの位置とタッチホールド動作および/またはタッチリリース動作とを決定する方法。
【請求項１３】
静電容量の変化が、タッチを検知した後の予定の継続時間に亘り予定の範囲内である場合に、タッチホールド動作が確定されることを特徴とする請求項１２に記載の方法。
【発明の詳細な説明】
【技術分野】
【０００１】
本発明は、タッチホールド機能を有するタッチセンシング装置（またはタッチ感知装置、touch-sensing device)および、タッチ後にホールド動作またはリリース動作のどちらが行われたかを決定するための方法に関する。
【背景技術】
【０００２】
既知のタッチセンシング装置は様々な技術に基づいている。例えば、容量方式、抵抗方式、圧力感知方式、および音響方式がある。ユーザーマシンインターフェイスとして働くこのような装置は、売店、自動販売機、家電製品およびコンピュータと組み合わせたタッチスクリーンのような、多数の製品に応用され、キーボードが埃または汚れを堆積するであろう環境では、とりわけ、好都合である。
【０００３】
タッチセンシング装置の１つの特別のカテゴリーは、国際公開公報ＷＯ２００６/１０８４４３号に記載のＲｅｖｅｒｓｙｓ（登録商標）法のような、相互作用手段（interaction means）への衝撃によって誘起される音響屈曲波（acoustic flexion wave）に対応する音響信号（acoustic signal）の分析に基づいた装置によって形成される。この技術では、相互作用手段へのタッチに起因する音響波信号（acoustic wave signal）は、相互作用手段の励振（excitation）を個々の信号へと変換するための変換手段によって検出され、信号処理手段が感知された信号に基づいて相互作用手段の励振の位置を決定する。励振の位置は、例えば、タイミングの違いおよび/または音響信号の振幅を用いて決定され得る。音響波の分析に基づくシステムは、相互作用手段が、音響波を伝搬できる任意の材料から作製できる利点を有する。励振は、指によってもたらされ得るが、手袋をした手またはスタイラス（またはタッチペン、stylus）もまた用いられてよい。このようなタッチコントロールシステムは、高精度の位置検知を提供し、マルチタッチの励振およびドラッグ操作もまた検知することができる。
【発明の概要】
【発明が解決しようとする課題】
【０００４】
相互作用手段への衝撃が起こった後に、音響信号が徐々に消失する音響方式は、使用者が相互作用手段をタッチして、指が相互作用手段に残る場合の長時間のタッチホールド動作の検知またはタッチリリースの検知に関して制限される。
【０００５】
従って、本発明の第１の目的は、タッチリリース動作とタッチホールド動作とを区別し、タッチホールド機能を実施する可能性のある、音響信号に基づいてタッチ位置を決定するためのタッチ位置システムを有するタッチセンシング装置を提供することである。本発明の目的は、請求項１に記載のタッチセンシング装置および請求項１２に記載の方法により達成される。
【課題を解決するための手段】
【０００６】
音響信号に基づいてタッチ位置を決定するためのタッチ位置システムを有する相互作用面、とりわけタッチパネルと、相互作用面の一方の表面に備えられ、弾性的に圧縮可能であり、誘電性がある音響絶縁手段（または音響遮蔽手段、遮音手段、acoustic isolating means）と、相互作用面と絶縁手段との間に配置された第１導電性電極と、第２導電性電極であって、第１導電性電極と第２導電性電極とが絶縁手段を挟持している、第２導電性電極と、第１導電性電極と第２導電性電極との間の静電容量を決定する手段とを含む請求項１に記載のタッチセンシング装置。
【０００７】
本発明によれば、タッチセンシング装置の残りの部分から音響的に相互作用手段を切り離すために必要な音響アイソレーター（acoustic isolator）の存在を利用して追加のセンサーを備える。実際に、音響アイソレーターの上表面および下表面に電極を備えることによって、容量センサーは装置に組み込まれる。このセンサーは、相互作用面の表面に加えられる力を感受する。相互作用面への力は、ガスケット（gasket）の圧縮をもたらし、その結果、電極間の距離が減少し、静電容量の増加をもたらす。従って、静電容量を監視することによって、相互作用面に与えられる外部の力の連続的な記録は取得され得る。音響システムによって検知されるタッチイベント（または接触事象、touch event）による静電容量の変化を比較することによって、音響信号がすでに消えた後でさえ、タッチイベントの継続時間は決定され得る。その結果、タッチホールド動作、従って使用者が相互作用手段の１つの場所に長時間接触（またはタッチ）している状態、は、まだ検知され得る。従って、任意の位置におけるタッチイベントは、タップ（または叩く）もしくはノック（打つ）のような短いタッチイベント、または例えば所定の継続時間を過ぎる場合のようなタッチホールドイベントに分類できる。静電容量を監視することによって、使用者が相互作用手段から離れる（タッチリリースイベント）瞬間を決定することもまた、可能になるであろう。
【０００８】
同様の好都合な効果は請求項１２に記載の方法により達成される。
【０００９】
本発明に係る、タッチセンシング装置のさらなる好都合な変形例は従属クレームに示される。
【００１０】
本発明の具体的な実施形態は、添付図面を参照する本明細書からさらに明らかになるであろう。
【図面の簡単な説明】
【００１１】
【図１ａ】図１ａは、本発明の実施形態の第１の例を示しており、本願発明の相互作用面の例としてのタッチパネルと、絶縁手段の例としての音響的に絶縁するガスケットとを示し、当該絶縁するガスケットは、本発明の導電性電極の例としての２つのストリップ状の粘着性銅テープの間に挟まれている。
【図１ｂ】図１ｂは、図１ａで示される第１の実施形態を用いる本願発明に係る方法を示す。
【図１ｃ】図１ｃは、第１の実施形態に係る、音響トランスデューサー（または変換器、transducer）とコンデンサ（またはキャパシタ、capacitor）とによって得られる信号を概略的に示す。
【図２ａ】図２ａ〜図２ｃは、異なる電極に関する、本発明に係る第１の実施形態の別の変形例を示す。
【図２ｂ】図２ａ〜図２ｃは、異なる電極に関する、本発明に係る第１の実施形態の別の変形例を示す。
【図２ｃ】図２ａ〜図２ｃは、異なる電極に関する、本発明に係る第１の実施形態の別の変形例を示す。
【図３】図３は、本発明に係る、３つの容量センサーを備えた相互作用面を有する本願発明の第２の実施形態を示す。
【発明を実施するための形態】
【００１２】
本発明の第１の実施形態に係る図１ａに示す、タッチセンシング装置は、使用者７によって衝撃を与えられ得る部分と反対側の面に取り付けられる音響トランスデューサー５を有する相互作用面３（ここでは、例えばガラスパネルのようなタッチパネル）を含む。このようなタッチセンシング装置は、タッチスクリーンを形成するようにディスプレイと一緒に用いることができるがしかし、必ずしもディスプレイを必要としない、自動販売機のような機械の制御パネルとしてもまた用いられることができる。通常、２つ以上、好ましくは、３つ以上のトランスデューサー５を備える。トランスデューサーは信号処理手段９に接続される。信号処理手段は、タッチの存在と、最終的に、感知されるトランスデューサー５の信号に基づくタッチの位置とを決定するよう構成される。タッチパネル３は、下に位置するディスプレイと一緒に用いられる場合、透明または半透明パネルであり得るがしかし、用途に応じて、不透明なパネルでもあり得る。
【００１３】
タッチパネル３の１つの表面に（通常、衝撃が起こる部分と反対の表面に）、ガスケット１１が音響絶縁手段として備えられ、それが取り付けられる装置（図示せず）の残りの部分から音響的にタッチパネル３を絶縁する。ガスケット１１は、弾性的に圧縮可能な誘電体材料から形成される。
【００１４】
本発明では、導電性材料から成る２つの電極１３と１５が、ガスケット１１を挟んで設けられている。第１電極１３はタッチパネル３とガスケット１１との間に配置され、第２電極１５は、ガスケット１１の反対側の面に置かれ、それゆえ、第１電極１３と接触するガスケット１１の面と対向している。ガスケット１１とともにある電極１３および１５は、所定の静電容量のコンデンサ１７を形成する。静電容量は、静電容量１９を決定するための手段で測定され、該手段は、また、静電容量の変化を監視するようにも構成され、それゆえ、静電容量処理手段として動作する。静電容量１９を決定するための手段は、例えばコンピュータープロセッサーの形態で、処理装置９に組み込まれ得る。
【００１５】
使用状態において、タッチパネル３は、例えばモニターのディスプレイのような外側の表面と接触して設置される。この表面の傾斜に応じて、所定の力が弾性的に圧縮可能な材料に加えられ、それに対応する静電容量が手段１９によって測定され得る。例えば、タッチパネル３の表面に付加されるある力のため、２つの電極１３と１５との間の距離が変化する場合、静電容量の変化は検出されるであろう。
【００１６】
本発明に係る本発明のタッチセンシング装置は、以下のように機能する。使用者７は、相互作用手段、従ってタッチパネル３、に所定の位置ｘにおいてタッチする。図１ｂに示される工程Ｓ１に従って、タッチは、トランスデューサー５によって捉えられる音響信号を生み出し、トランスデューサー５は感知された信号を処理手段９に転送し、処理手段９は、その信号を分析し、タッチが起こったことを決定し、最終的に衝撃の正確な位置の特定（従って、処理装置９の座標系(reference system)における位置ｘ）を与える。使用者がパネルをタッチし続ける場合、音響信号はもはや存在しないであろう。しかしながら、タッチはガスケット１１に所定の圧力およびその結果として、その厚さ２１の変化をもたらす。工程Ｓ２に従って、このことは、コンデンサ１７の誘電率を変化させ、この変化は、静電容量１９を決定するための手段によって検出されるであろう。時間だけでなく大きさの関数として、決定された静電容量に基づいて、使用者が、まだパネル３にタッチしているか（従って、ホールド動作に対応する）、またはすでに指を離しているか（リリース動作）を工程１ｃに従って決定することが可能になる。
【００１７】
タッチイベントの実際の終了の瞬間を決定するために、様々な基準が用いられ得る。図１ｃは、トランスデューサー５によって感知された音響信号（下方の信号）と、コンデンサ１７によって感知された静電容量値（上方の信号）とを時間の関数として、概略的に示している。
【００１８】
時間Ａにおいて、使用者はタッチパネル３にタッチしており、トランスデューサー５が信号を感知し始め、タッチパネル３への圧力のため、音響アイソレーターがその厚さを変えて静電容量の上昇が観察され得る。一方、時間Ｂでは、音響信号は徐々に消失していくがしかし、コンデンサ１７は、使用者のホールド動作に起因され得るより高い静電容量をまだ有しており、それは、使用者がまだパネル上の位置ｘに指を置いていることを意味している。そのようにして静電容量処理手段１９は、ホールド動作が起きていることを決定することができる。さらに、時間Ｃでは、静電容量処理手段は、タッチホールド動作が終わって使用者が指を離したことを決定することができる。実際、時間Ｃでは、静電容量値は、タッチパネルがもはや圧力下にないことを示す初期値に戻る。
【００１９】
好ましくは、タッチ動作を引き起こすために、静電容量の変化は所定のしきい値を越えるべきである。しきい値は、例えば、絶縁手段１１の厚さ、圧縮率、誘電率のような既知の特性に基づき得る。加えて、緩和状態の、つまり、タッチイベントが起こっていない場合の、２つの導電性電極１３、１５の静電容量も、また、考慮に入れられ得る。
【００２０】
変形例によれば、タッチイベント（Ｃ）の終了とタッチイベントの始まりの時点で検出される増加（Ａ）の大きさに基づく値よりも大きい静電容量の変化とを関係付けることができる。最終的には、期間Ａ〜Ｃの間に、静電容量の変化を考慮に入れることもまた可能である。
【００２１】
第１の実施形態のもう１つの変形例によれば、時間とともにその特性およびそれによって測定される静電容量のベースライン（baseline）、従ってタッチパネル３へのタッチなしでの値、をゆっくりと変化させる音響手段（acoustic means）の経年劣化（aging）を考慮に入れて、自動適応処理（auto adaption process）が実行されるように静電容量処理手段１９は構成され得る。このような自動適応ルーティーン（routine）は定期的に実行できる。そして、静電容量処理手段は、ホールド動作が存在する決定を開始するしきい値を再決定するようベースラインの変化を考慮してもよい。さらに、この自動適応ルーティーンは、音響手段への重力を変化させ、従ってベースラインの静電容量値もまた変化させる、タッチパネルの面の水平から垂直への変化のような、変化する状況もまた考慮に入れることができる。静電容量測定が提供するもう１つの機能は、いわゆる、パームリジェクション機能（palm rejection capability）である。
【００２２】
さらに、音響信号なしで長時間に亘る静電容量値のベースラインの変化は、例えば、手がタッチパネルに置かれたままである場合に起こり得る。この状態では、ホールド動作を検知するためのしきい値をすでに超えても、手の存在のために追加のホールド動作は検知さない場合がある。
【００２３】
ベースラインを連続して環境に適合させること（従って経年劣化と、パネルの新しい方向および/または動揺の存在とを考慮に入れること）によって、ホールド動作の検知の精度（音響信号が徐々に消失した後）を改善できる。
【００２４】
多くの用途のために、タッチアンドリリース(またはタッチ＆リリース)入力動作（その際に、使用者がタッチパネル３を押し、再び指を離す）と、タッチアンドホールド(またはタッチ＆ホールド)動作（その際に、使用者の指がタッチパネル３上により長時間留まる）とを区別したい。タッチセンシング装置の目的とする用途に応じて、異なる時間のしきい値は、短いタッチアンドリリース動作とより長時間のタッチアンドホールド動作とを区別するために選ばれてもよい。しきい値は、例えば、０．０１秒と５０秒との間、より好ましくは、０．０５秒と１０秒との間、更により好ましくは、０．１秒と１秒との間で選ばれ得る。
【００２５】
好都合な変形例によれば、さらに、静電容量処理手段１９は、しきい時間に等しい時間において、静電容量測定結果の変化に基づいてタッチリリースが検知されない場合、タッチイベントはタッチホールド動作と見なされるように構成できる。そのしきい時間の前にリリースが検知される場合、タッチイベントはタッチリリース動作と見なされる。使用者がそのようにして伝達できる付加的な２元情報（リリースまたはホールド）は、特定の用途によるであろう。
【００２６】
さらに、選択したしきい時間を越えて、ホールドがリリースになる瞬間を決定できる。上述のように、相互作用面（この場合、タッチパネル３）は、パネル上の動作の間、音響波を伝搬し、その結果、ドラッグ動作は問題なく検知されるがしかし、ホールド動作が過度に長い場合、パネル上の動かない指の存在は、音響方式によって検知することは難しい。しかし、タッチパネルの下に位置するディスプレイ装置に表示される情報に関連したリリースの瞬間は、タッチが始まる時間およびその場所と同様に重要であり得る。
【００２７】
さらに、第２のタッチ（例えば、第２の指による）は、第１の指がタッチパネル上に留まる場合のマルチタッチイベントの始まりとして解釈されるべきなのか、または第１のタッチが終了している場合の新しい個別のタッチイベントとして解釈されるべきなのかどうかもまた、検知できる。２つ以上の指の動作は特別な目的のために用いられ得る。
【００２８】
タッチセンシング装置１の別の変形例によれば、処理手段１９は、ホールドまたはリリース動作を示すだけでなく、静電容量の変化の大きさに応じて、パネルに対して与えられる力、例えばわずかにタッチする、または押す等のレベルを示すアウトプット（output）もまた提供できるように構成される。ホールド動作の大きさに応じて、異なる動作が、処理手段１９または９によって知らされ得る。
【００２９】
変形例によれば、処理手段１９または９は、音響波の検出記録と静電容量の変化の記録とを比較し、タッチ動作が始まる時点で、２つの記録を関連付けるように設定される。この比較は、リアルタイムで実行できる。そして、測定された静電容量１７の変化は、音響信号に基づいて処理手段１９によって認識される所定のタッチイベントによるものとすることができる。
【００３０】
絶縁手段（従ってガスケット１１）と、絶縁手段１１を挟持する上下の電極１３および１５とは、本発明に係るいくつかの変形例を提供し得る。
【００３１】
ここで、絶縁手段１１は、好ましくは、実質的に平行である２つの平面２３、２５を有する。上部および下部の電極１３および１５は、絶縁手段１１の圧縮方向に実質的に垂直になるように配置される。好ましくは、両平面２３、２５は、タッチパネル３の主表面に平行である。電極１３、１５と接触し、かつ２つの表面２３、２５を接続する表面は、それらの２つの表面２３、２５と直交し得るがしかし、異なる方位（または方向、orientation）を有してもよい。静電容量の変化を最適化するために、絶縁手段１１の厚さは、その音響絶縁特性と釣り合いが取られる（またはバランスされる、balance）。ガスケット１１の音響絶縁材料は、弾性手法により圧縮可能であり、その結果、タッチを引き起こした力が取り除かれた後に、その初期状態に戻る。
【００３２】
図１に示す導電性電極１３、１５は、本発明に係るいくつかの方法により設けることができる。両電極１３’、１５’は、図２ａに示されるように、例えば金属プレートまたはいくつかの銅テープ片のような、導電性プレートによって形成されてよい。この構成は、絶縁手段１１とタッチパネル３（図１参照）との間にある一方の電極１３’と、前記一方の電極１３’と平行であり、絶縁手段１１の反対側の表面にある他方の電極１５’とを簡単に備えることができるという利点を有する。電極１３’、１５’は、図１に示されるように、静電容量変換手段１９のそれぞれの入力手段に接続される。
【００３３】
電極１３、１５の１つまたは両方は、ワイヤーによって、さらにとりわけ銅線または鋼線によって、取り替えられてよい。図２ｂは、上部電極１３”が、鋼線によって形成され、かつ、下部電極１５’が金属プレートによって形成される、構成を示す。実際に、一対の電極が、導電性があり、タッチパネルへの衝撃に対して静電容量が変化するコンデンサを形成する限り、電極１３、１５は任意の適した方法により設けることができる。
【００３４】
本発明の更なる構成は、図２ｃに示される。その構成では、下部電極１５”は、図１に示されるような本発明のタッチセンシング装置の下に配置される、例えば、ＬＣＤ装置のようなディスプレイの金属フレーム等によって形成される。上部電極１３”は鋼線または、任意の、他に可能な、上述の電極変形例によって形成されてよい。この構成は、追加の下部電極１５を備える必要がないという利点を有する。
【００３５】
図３は本発明の第２の実施形態を示す。この実施形態では、３つのコンデンサ１７ａ、１７ｂおよび１７ｃは、タッチパネル３に取り付けられる。３つのコンデンサ１７ａ、１７ｂおよび１７ｃのそれぞれは、第１の実施形態のコンデンサ１７について上述したのと同じ方法で作られ、静電容量１９を決定するための手段に接続される。コンデンサ１７ａ、１７ｂおよび１７ｃのそれぞれもまた、装置の残りの部分からタッチパネル３を切り離すように音響絶縁手段を含む。この機能性を最適化するように、音響絶縁手段はパネル３の端に沿って配置される。
【００３６】
当然、装置の形状に応じて、２つのみ、またはより多くの音響絶縁手段が、音響絶縁を確実にするよう配置されるであろう。
【００３７】
第１の実施形態およびその変形例のための上記の機能とは別に、１つより多いコンデンサの設置は付加的な機能性を提供する。第２の実施形態に係るタッチセンシング装置３１は、３つの静電容量測定を提供できる。
【００３８】
コンデンサ１７ａ、１７ｂおよび１７ｃに基づく３つの容量センサーの測定した静電容量値は、ホールド動作の有無を決定するために用いられるだけでなく、相互の比較に基づいて、ホールド動作の位置についての情報もまた提供できる。例えば、位置ｘで衝撃が起こる場合、静電容量の変化はコンデンサ１７ａでの方が、コンデンサ１７ｂでの変化と比較して大きいであろう。この位置情報は、音響信号を用いて提供できる分解能と比較して粗い。
【００３９】
それでもしかし、この付加的な情報に基づき、信頼値は、検知されたホールド動作によるものとすることができる。実際、音響のタッチ位置と静電容量のタッチ位置とが、所定の信頼限界の範囲で実質的に同じである場合、容量センサーのシステムによって検知されたタッチホールド動作は、より確実に、音響信号を用いて検知されたタッチによるものとすることができ、意図的な衝撃の位置から離れて生じる、誤った、望まれない効果は、少なくとも部分的に除去 (filter out) 可能である。
【００４０】
音響信号を用いて衝撃の位置を決定するいくつかのタッチ位置システムでは、データベースに予め蓄積された基準信号（または参照信号、reference signal）が用いられる。そして、衝撃の位置は、例えば相関関係（correlation）等を用いて、予め蓄積された信号と測定した信号との比較に基づくことができる。このような場合、コンデンサ１７ａ、１７ｂおよび１７ｃの静電容量測定結果に基づいた粗い衝撃位置の特定は、衝撃が起こった領域を限定するために、好都合に用いることができ、その結果、その領域の基準信号のみが衝撃位置決め処理に用いられる。このことは、必要な計算能力を大幅に減らし、および/または、位置特定の処理を大幅に早めるであろう。
【００４１】
上述の実施形態では、一旦衝撃が、音響衝撃の位置特定システムの処理部（unit）９によって決定されてから、静電容量値は用いられた。それでもなお、更なる変形例によれば、好ましくは、静電容量値の連続的な分析は、衝撃を示す静電容量の変化の検出に基づく音響衝撃の位置特定システムを作動するように用いることができる。
【００４２】
実施形態に係る発明は、静電容量測定を提供することによって、音響信号を用いて検知されたタッチのホールド動作が、圧縮可能な誘電体として機能する音響絶縁手段を挟持する電極を備えることにより、簡素な形態で、決定可能であるという利点を有する。加えて、測定した静電容量値は、複数のコンデンサが作られる場合、粗い位置特定機能を用いてデータの分析処理を早めるようにタッチ検知システム（touch detection system）を作動するために好都合に用いることができる。
【図１ａ】
0005227462.tif 000002
【図１ｂ】
0005227462.tif 000003
【図１ｃ】
0005227462.tif 000004
【図２ａ】
0005227462.tif 000005
【図２ｂ】
0005227462.tif 000006
【図２ｃ】
0005227462.tif 000007
【図３】
0005227462.tif 000008